(57)【特許請求の範囲】
【請求項１】
表面（１ａ、１１ａ）に目視可能な情報が記録されるシート状部材（１、１１）と、このシート状部材に内蔵され、外部との送受信により音声情報を記憶するとともにその音声情報を外部に送出する回路（２）とを備えた情報記録媒体であって、
前記回路は、外部からこの回路に記憶されているＩＤ番号が特定されることによって前記音声情報を外部に送出するようになっており、
さらに前記シート状部材の前記表面に前記ＩＤ番号が表示されていることを特徴とする情報記録媒体。
【請求項２】
前記シート状部材（１）は、前記表面（１ａ）に写真感光乳剤が塗布されたものであることを特徴とする請求項１に記載の情報記録媒体。
【請求項３】
前記シート状部材（１１）は、前記表面（１１ａ）が手書き可能な面となっており、前記シート状部材の裏面（１１ｂ）に糊部（１２）が形成されていることを特徴とする請求項１に記載の情報記録媒体。
【請求項４】
請求項１乃至３のいずれか１つに記載の情報記録媒体に内蔵された前記回路との間の送受信により、前記ＩＤ番号を特定して前記音声情報を前記回路に書き込むとともに、前記ＩＤ番号を特定して前記回路から前記音声情報を読み出すハンディタイプの情報書き込み／読み出し装置。
【発明の詳細な説明】
【０００１】
【発明の属する技術分野】
本発明は、外部との送受信により情報の書き込みおよび読み出しが行える回路を内蔵した情報記録媒体、および情報記録媒体に情報の書き込みおよび読み出しを行う装置に関する。
【０００２】
【従来の技術】
従来、シート状部材の中に、外部との送受信により情報の書き込みおよび読み出しが行える回路、いわゆるリモートＩＤを内蔵した情報記録媒体が種々提案されている。この情報記録媒体としては、例えば、箱等の物品に添付され、質問器との送受信により、リモートＩＤに記憶された情報が読み出されて、物流管理システムに用いられる。
【０００３】
このような物流管理システムとは別に、この情報記録媒体としては種々の用途が考えられる。例えば、後述する実施形態に示すように、写真の中にリモートＩＤを組み込んでおき、音声情報をリモートＩＤに記憶しておけば、写真を見ながらその写真に関係した音声を聞くことができる。また、付箋紙の中にリモートＩＤを組み込んでおき、音声情報をリモートＩＤに記憶しておけば、付箋紙に書かれるメモの詳細情報等を知ることができる。
【０００４】
この場合、写真、付箋紙等の情報記録媒体が所定エリア内に複数存在すると、そのうちのいずれに対して情報の読み出しを行うか特定できなくなるが、個々の情報記録媒体に与えられたＩＤ番号を用いれば、情報の読み出しを行う情報記録媒体を特定することができる。
しかしながら、そのＩＤ番号は、リモートＩＤ内に記憶されているものであるため、そのＩＤ番号が認識しずらいという問題が生じる。
【０００５】
【発明が解決しようとする課題】
そこで、本発明は、ＩＤ番号の特定を用いて情報記録媒体から情報の読み出しを行う場合に、ＩＤ番号の認識を容易に行えるようにすることを目的とする。
【０００６】
【課題を解決するための手段】
上記目的を達成するため、請求項１に記載の発明においては、表面（１ａ、１１ａ）に目視可能な情報が記録されるシート状部材（１、１１）と、このシート状部材に内蔵され、外部との送受信により音声情報を記憶するとともにその音声情報を外部に送出する回路（２）とを備えた情報記録媒体であって、前記回路は、外部からこの回路に記憶されているＩＤ番号が特定されることによって前記音声情報を外部に送出するようになっており、さらに前記シート状部材の前記表面に前記ＩＤ番号が表示されていることを特徴している。
【０００７】
従って、シート状部材の表面にＩＤ番号を表示しておくことにより、ＩＤ番号の認識を容易に行うことができ、そのＩＤ番号を用いて情報記録媒体から記憶情報の読み出しを行うことができる。
請求項２に記載の発明においては、シート状部材（１）の表面（１ａ）に写真感光乳剤が塗布されていることを特徴としている。
【０００８】
従って、情報記録媒体として写真に適用することができ、その場合に写真に関係した情報を得ることができる。
請求項３に記載の発明においては、シート状部材（１１）の表面（１１ａ）が手書き可能な面となっており、シート状部材の裏面（１１ｂ）に糊部（１２）が形成されていることを特徴としている。
【０００９】
従って、情報記録媒体として付箋紙に適用することができ、その場合に付箋紙に手書きされた内容に関係した情報を得ることができる。また、請求項１に記載の発明では、記憶情報を音声情報としているので、写真、付箋紙等の情報記録媒体を見ながら音声で関係情報を聞くことができる。上記した情報記録媒体は、請求項４に記載の発明のように、ハンディターミナル（４０、５０）のようなハンディタイプの情報書き込み／読み出し装置を用いて、情報の書き込みおよび読み出しを行うことができる。
【００１０】
なお、上記括弧内の符号は、後述する実施形態記載の具体的手段との対応関係を示すためのものである。
【００１１】
【発明の実施の形態】
（第１実施形態）
この第１実施形態は、情報記録媒体として写真に適用したものである。
図１に、その構成を示す。図１（ａ）の断面構成に示すように、紙状のシート状部材としての写真印画紙１の中にリモートＩＤ２が設けられている。また、写真印画紙１の表面１ａには、写真感光乳剤が塗布されており、インスタントカメラを用いて、図１（ｂ）に示すように、画像を記録することができる。
【００１２】
図１（ｃ）は、リモートＩＤ２の平面構成を示すもので、リモートＩＤ２はアンテナ部２１および半導体部２２から構成されており、この半導体部２２に写真に対応した音声情報の書き込みおよび読み出しが行えるようになっている。
図２に、リモートＩＤ２の回路構成を示す。
上記した半導体部２２は、電源回路２２ａ、送受信回路２２ｂ、制御回路２２ｃから構成されている。このリモートＩＤ２は電源を有していないため、電源回路２２ａは、アンテナ２１が外部から送信された給電用の電波を受信したときの受信信号により電源電圧を作成し、各部回路に給電を行う。
【００１３】
この給電後、アンテナ２１に通信用の電波が受信されると、送受信回路２２ｂは受信処理を行い、制御回路２２ｃに受信データを送出する。制御回路２２ｃは予め定めた制御プラグラムによって演算処理を行い、例えば、受信データが音声情報の書き込みのときには、その音声情報を不揮発性のメモリ２２ｄに記憶し、また受信データが音声情報の読み出しのときには、メモリ２２ｄに記憶された音声情報を外部に出力する処理を行う。
【００１４】
なお、メモリ２２ｄ内には、そのリモートＩＤ２固有のＩＤ番号を記憶しており、このＩＤ番号の特定により情報の書き込み／読み出しが行われる。また、写真印画紙１の表面１ａの左下隅には、図１（ｂ）に示すように、リモートＩＤ２のＩＤ番号が印刷されている。
上記した写真はインスタントカメラを用いて画像記録を行うことができるが、本実施形態では、このインスタントカメラに、音声情報を写真に記録する機構を備えている。図３に、その構成を示す。
【００１５】
音声取り込みＳＷ３２が操作されたとき、マイク３１からユーザーが発する音声を取り込み、その音声信号をＡ／Ｄ変換器３３によりディジタル信号に変換し、制御回路３４内のメモリ３４ａに一時記憶する。制御回路３４は、音声信号の取り込み終了後、送受信回路３５からアンテナ３６を介して写真印画紙１内のリモートＩＤ２と送受信を行い、メモリ３４ａに一時記憶された音声情報をリモートＩＤ２に書き込む処理を行う。
【００１６】
なお、このインスタントカメラは、予め複数の写真印画紙がセットされて、写真をとる毎に写真印画紙が１枚ずづ引き出される構成のものである。また、後述する音声情報の書き込みを行う場合には、ＩＤ番号の小さい順に写真印画紙をセットして、そのＩＤ番号の小さい順に写真をとっていくようにする。
図４に、制御回路３４の音声情報書き込み処理を示す。
【００１７】
上記した音声取り込みＳＷ３２がオン操作されると、まず、マイク３１からＡ／Ｄ変換器３３を介した音声情報をメモリ３４ａに一時記憶する（ステップ１０１）。この記憶処理は、メモリ３４ａの記憶容量が一杯になるまで、もしくは音声取り込みＳＷ３２がオフ操作されるまで行われる。
次に、インスタントカメラにセットされている全ての写真印画紙のリモートＩＤに給電を行う（ステップ１０２）。すなわち、送受信回路３５からアンテナ３６を介して給電用の電波を送信する。
【００１８】
この後、全てのリモートＩＤに、音声取り込み指令とＩＤ番号の送信要求を送信し、全てのリモートＩＤからＩＤ番号を取り込む（ステップ１０３）。この後、最も小さいＩＤ番号のリモートＩＤに音声情報を書き込むために、そのＩＤ番号とメモリ３４ａに記憶した音声情報を送信する（ステップ１０４）。
図５に、リモートＩＤ２内の制御回路２２ｃの処理を示す。
【００１９】
制御回路２２ｃは、インスタントカメラからの給電用電波の送信により電源がオンされる。そして、インスタントカメラから音声取り込み指令およびＩＤ番号の送信要求を受信すると（ステップ２０１）、ステップ２０２からステップ２０３に進み、ＩＤ番号の送信要求に対してこのリモートＩＤのＩＤ番号を送信する（ステップ２０３）。
【００２０】
この後、インスタントカメラから音声情報を書き込むリモートＩＤを指定したＩＤ番号を受信したことを判定すると（ステップ２０４）、そのＩＤ番号がこのリモートＩＤに付されたＩＤ番号と一致しているか否かを判定する（ステップ２０５）。ＩＤ番号が一致していないときにはこの処理を終了し、ＩＤ番号が一致したときには、送信された音声情報をメモリ２２ｄに記憶する（ステップ２０６）。
【００２１】
上記した作動を音声取り込みＳＷ３２のオン操作毎に行うことによって、インスタントカメラに設置されている複数の写真印画紙に対し、それらに内蔵されているリモートＩＤに音声情報を順次書き込むことができる。
次に、リモートＩＤに書き込まれた音声情報の読み出しについて説明する。
本実施形態では、図６に示すハンディターミナル４０を用いて音声情報の読み出しを行うようにしている。このハンディターミナル４０は、バーコード等の読取を行う装置と兼用したもので、表示部４１とキーボード４２を備えており、さらに、読み出した音声情報を出力するスピーカ４３を備えている。なお、キーボード４２内には、音声の読み取りを行うときに操作される音声読み取りＳＷが設けられている。
【００２２】
図７に、ハンディターミナル４０における音声情報の読み出しを行う回路構成を示す。
このハンディターミナル４０は、リモートＩＤと送受信を行うためのアンテナ４４と送受信回路４５を備えており、音声読み取り時に、制御回路４６の制御によって、リモートＩＤからの音声情報をアンテナ４４から送受信回路４５を介して取り込み、その音声情報をＤ／Ａ変換器４７にてアナログ信号に変換し、スピーカ４８から音声出力する。
【００２３】
図８に、制御回路４６での音声読み取り処理を示す。
音声読み取りＳＷ４９がオン操作されると、所定エリア内にある全てのリモートＩＤに給電を行う（ステップ３０１）。この後、ユーザーは、写真の左下隅にあるＩＤ番号を見て、そのＩＤ番号をキーボード４２に入力するため、その入力されたＩＤ番号を取り込む（ステップ３０２）。そして、そのＩＤ番号と音声読み取り指令をリモートＩＤに送信する（ステップ３０３）。
【００２４】
リモートＩＤでは、電源オンにより図５に示す処理を実行しており、受信処理（ステップ２０１）にて、ハンディターミナル４０からＩＤ番号と音声読み取り指令を受信すると、ステップ２０２からステップ２０７に進み、受信したＩＤ番号がこのリモートＩＤのＩＤ番号と一致しているか否かを判定する（ステップ２０７）。ＩＤ番号が一致していると、記憶している音声情報をハンディターミナル４０に送信する（ステップ２０８）。
【００２５】
ハンディターミナル４０では、その音声情報をアンテナ４４、送受信回路４５により受信し、その受信した音声情報をＤ／Ａ変換器４７に出力し、スピーカ４８から音声発生させる（ステップ３０４）。
従って、複数の写真がアルバム内に収められているときに、ハンディターミナル４０を用いて、アルバム内の写真のＩＤ番号を特定することにより、写真を見ながらその写真に関係した音声を聞くことができる。
【００２６】
なお、上記した実施形態では、インスタントカメラに複数の写真印画紙がセットされるため、それらからＩＤ番号を読み出しＩＤ番号の特定を行って音声情報の書き込みを行うものを示したが、インスタントカメラに１枚の写真印画紙のみがセットされるような場合には、ＩＤ番号の特定なく音声情報を書き込むようにすることもできる。
【００２７】
また、写真印画紙にＩＤ番号を表示する場合、上記実施形態のように予め印刷しておくものに限らず、インスタントカメラで、写真印画紙にＩＤ番号を写すようにしてもよい。また、インスタントカメラ以外のカメラの場合には、ネガから写真印画紙に現像するときに、現像装置側で写真印画紙のリモートＩＤからＩＤ番号を読み出し、写真印画紙にＩＤ番号を表示するようにしてもよい。
（第２実施形態）
この第２実施形態は、情報記録媒体として、付箋紙に適用したものである。
【００２８】
図９に、その構成を示す。図９（ａ）の断面構成に示すように、シート状部材としての付箋紙１１の中にリモートＩＤ２が設けられている。また、付箋紙１１の表面１１ａは、図９（ｂ）に示すように、メモ等の手書きが可能な面となっている。また、付箋紙１１の裏面１１ｂには、糊部１２が形成されており、この糊部１２によって付箋紙１１をメモすべきところ等に貼り付けることができる。
【００２９】
図１（ｃ）は、リモートＩＤ２の平面構成を示すもので、このリモートＩＤ２は、アンテナ部１１および半導体部１２から構成された第１実施形態と同様のもので、図２に示すものと同様の回路構成となっている。
この第２実施形態においては、図１０に示すように、ハンディターミナル５０を用いて音声情報の書き込みおよび読み出しを行う。このハンディターミナル５０は第１実施形態と同様、表示部５１とキーボード５２を備えており、このキーボード５２には、音声取り込みＳＷおよび音声読み取りＳＷが設けられている。また、ハンディターミナル５０の側面には、マイク５３およびスピーカ５４が取り付けられている。
【００３０】
図１１に、ハンディターミナル５０における音声情報の書き込みおよび読み出しを行う回路構成を示す。
音声取り込みＳＷ５２ａが操作されたとき、マイク５３から取り込まれた音声信号はＡ／Ｄ変換器５５によりディジタル信号に変換され、制御回路５６内のメモリ５６ａに一時記憶される。制御回路５６は、所定の音声信号が取り込まれた後、送受信回路５７からアンテナ５８を介して付箋紙１１内のリモートＩＤ２と送受信を行い、メモリ５６ａに一時記憶された音声情報をリモートＩＤ２に書き込む処理を行う。
【００３１】
また、音声読み取りＳＷ５２ｂが操作されたとき、付箋紙１１のリモートＩＤ２からアンテナ５８、送受信回路５７を介して取り込まれた音声情報は、Ｄ／Ａ変換器５９にてアナログ信号に変換され、スピーカ５９から音声として出力される。
図１２、図１３に、ハンディターミナル５０における制御回路５６での音声取り込み処理、音声読み取り処理を示す。また、図１４に、リモートＩＤ２内の制御回路２２ｃの処理を示す。
【００３２】
本実施形態においては以下のように作動する。
表面１ａにメモ等が書かれた、１つもしくは複数の付箋紙１１に対し、ハンディターミナル５０を用いて音声入力を行う。この場合、音声取り込みＳＷ５２ａが操作されると、制御回路５６は、マイク５３から音声信号を取り込んでメモリ５６ａに記憶する（ステップ４０１）。そして、所定エリア内にある全てのリモートＩＤの電源をオンする（ステップ４０２）。
【００３３】
この後、ユーザーは、付箋紙１１の表面１ａの左下隅にあるＩＤ番号を見て、そのＩＤ番号をキーボード４２に入力するため、この入力されたＩＤ番号を取り込み（ステップ３０２）、次に音声取り込み指令をリモートＩＤに送信する（ステップ４０４）。この後、入力されたＩＤ番号、パスワード（予めこのハンディターミナル５０に設定されたもの、あるいはユーザーが設定登録したもの）、およびメモリ５６ａに記憶した音声情報を送信する（ステップ４０５）。
【００３４】
付箋紙１１に内蔵されたリモートＩＤ２内の制御回路２２ｃにおいては、電源オン後、ハンディターミナル５０から音声取り込み指令を受信すると（ステップ６０１）、ステップ６０２からステップ６０４に進む。そして、ＩＤ番号およびパスワードを受信したことを判定すると（ステップ６０４）、次に、制御回路２２ｃ内のメモリ２２ｄに予め記憶されているＩＤ番号と一致しているか否かを判定する（ステップ６０５）。ＩＤ番号が一致していると、パスワードおよび音声情報をメモリ２２ｄに記憶する（ステップ６０６）。
【００３５】
上記した処理により、付箋紙１１が複数ある場合でも、音声情報を順次書き込むことができる。
次に、音声情報を読み出す場合について説明する。
図１３に、制御回路５６での音声読み取り処理を示す。
ハンディターミナル５０の音声読み取りＳＷ５２ｂががオン操作されると、所定エリア内にある全てのリモートＩＤの電源をオンする（ステップ５０１）。この後、ユーザーは、音声の読み取りを行う付箋紙１１の左下隅にあるＩＤ番号を見て、そのＩＤ番号をキーボード５２に入力するため、この入力されたＩＤ番号を取り込む（ステップ５０２）。そして、そのＩＤ番号、パスワードおよび音声読み取り指令を送信する（ステップ５０３）。
【００３６】
リモートＩＤ２では、電源オンにより図１４に示す処理を実行しており、ＩＤ番号、パスワードおよび音声読み取り指令を受信すると（ステップ６０１）、音声読み取りモードであることを判定し（ステップ６０２）、次に、メモリ２２ｄに記憶されているＩＤ番号、パスワードと一致しているか否かを判定する（ステップ６０７）。ＩＤ番号、パスワードが一致していると、記憶している音声情報をハンディターミナル５０に送信する（ステップ６０８）。
【００３７】
ハンディターミナル５０では、その音声情報をアンテナ５８、送受信回路５７により受信し、その受信した音声情報をＤ／Ａ変換器５９に出力し、スピーカ５４から音声発生させる（ステップ５０４）。
従って、複数の付箋紙があっても音声情報を読み出す付箋紙のＩＤ番号を特定することにより、その付箋紙に関係した音声を聞くことができる。
【００３８】
上記実施形態においては、特定のユーザーに対してのみ付箋紙に記憶された音声情報を知ることができるようにパスワードを設定しているが、特定のユーザーに限らず誰でも音声情報を聞いてもよい場合には、パスワードを設けなくてもよい。
なお、第１実施形態では、インスタントカメラを用いて音声情報の書き込みを行うものを示したが、第１実施形態においても第２実施形態と同様、ハンディーターミナル４０にて音声情報の書き込みおよび読み出しを行うを行うようにしてもよい。
【図面の簡単な説明】
【図１】本発明の第１実施形態を示す写真の構成を示す図である。
【図２】写真印画紙に内蔵されたリモートＩＤ２の回路構成を示す図である。
【図３】インスタントカメラにおいて音声情報を写真に記録する回路構成を示す図である。
【図４】図３中の制御回路３４の音声情報書き込み処理を示すフローチャートである。
【図５】図２中の制御回路２２ｃの処理を示すフローチャートである。
【図６】ハンディターミナル４０を用いて写真から音声情報の読み出しを行う状態を示す図である。
【図７】ハンディターミナル４０における音声情報の読み出しを行う回路構成を示す図である。
【図８】図７中の制御回路４６の音声読み取り処理を示すフローチャートである。
【図９】本発明の第２実施形態を示す付箋紙の構成を示す図である。
【図１０】ハンディターミナル５０を用いて付箋紙から音声情報の読み出しを行う状態を示す図である。
【図１１】ハンディターミナル５０における音声情報の書き込みおよび読み出しを行う回路構成を示す図である。
【図１２】図１１中の制御回路５６での音声取り込み処理を示すフローチャートである。
【図１３】図１１中の制御回路５６での音声読み取り処理を示すフローチャートである。
【図１４】本発明の第２実施形態におけるリモートＩＤ２内の制御回路２２ｃの処理を示すフローチャートである。
【符号の説明】
１…写真印画紙、２…リモートＩＤ、１１…付箋紙、２１…アンテナ、
２２…半導体部、４０、５０…ハンディターミナル。
【図１】
0003651147.tif 000002
【図２】
0003651147.tif 000003
【図３】
0003651147.tif 000004
【図４】
0003651147.tif 000005
【図５】
0003651147.tif 000006
【図６】
0003651147.tif 000007
【図７】
0003651147.tif 000008
【図８】
0003651147.tif 000009
【図９】
0003651147.tif 000010
【図１０】
0003651147.tif 000011
【図１１】
0003651147.tif 000012
【図１２】
0003651147.tif 000013
【図１３】
0003651147.tif 000014
【図１４】
0003651147.tif 000015